(57)【要約】【課題】広範囲のサイズ測定を正確に行うことができ、耐久性に優れた軽量で携帯に便利な廉価なリングサイズ測定具を提案すること。【解決手段】リングサイズ測定具１は合成樹脂からなり、複数枚の平板状ユニット２が連結軸３によって積層状態に保持され、各平板状ユニット２は連結軸３を中心として個別に回転可能である。各平板状ユニット２には４個のリングゲージ３１〜３４が連結軸３を中心として７２度の角度で取り付けられており、一対のリングゲージ３１、３４の間は２倍の角度間隔の広開口部３５となっている。一枚の平板状ユニット２を７２度回転させ、整列状態の他の平板状ユニット２の広開口部３５に一つのリングゲージを位置決めして、指をそこに挿入するという操作を繰り返すことで、指のサイズを確認できる。【選択図】図１
0003119891.tif 000002
【実用新案登録請求の範囲】
【請求項１】
複数枚の平板状ユニットと、
これらの平板状ユニットを積層状態に保持していると共に、各平板状ユニットをそれらの平面方向に回転可能な状態で支持している連結軸とを有し、
各平板状ユニットは、前記連結軸を中心として所定の角度間隔で配置されたサイズの異なる複数のリングゲージを備えており、隣接する一対のリングゲージの間は、これらの間に、他の平板状ユニットのリングゲージの一つを重なることなく位置させることのできる広開口部となっていることを特徴とするリングサイズ測定具。
【請求項２】
請求項１において、
各平板状ユニットの前記リングゲージの個数および角度間隔は、各平板状ユニットにおいて同一とされており、
各リングゲージのサイズは全て異なることを特徴とするリングサイズ測定具。
【請求項３】
請求項２において、
各平板状ユニットの各リングゲージには外方に突出したサイズ表示部が備わっていることを特徴とするリングサイズ測定具。
【請求項４】
請求項３において、
各平板状ユニットには、前記連結軸の外周面に押し付けられている弾性爪が形成されており、
前記連結軸の外周面には、円周方向に沿って所定の角度間隔で、当該連結軸の軸線方向に延びている爪係合溝が形成されており、
前記弾性爪と前記爪係合溝の一つとの係合によって、各平板状ユニットを複数の回転角度位置に保持可能となっていることを特徴とするリングサイズ測定具。
【請求項５】
請求項４において、
各平板状ユニットは、各リングゲージの中心が他の平板状ユニットの各リングゲージの中心に一致する回転角度位置、および、各リングゲージが整列状態の他の平板状ユニットにおける前記広開口部に位置する各回転角度位置に、それぞれ保持可能となっていることを特徴とするリングサイズ測定具。
【請求項６】
請求項１ないし５のうちのいずれかの項において、
前記平板状ユニットおよび前記連結軸は合成樹脂の成形品であることを特徴とするリングサイズ測定具。
【考案の詳細な説明】
【技術分野】
【０００１】
本考案は、指に合った指輪のサイズを測定するためのリングサイズ測定具に関するものである。
【背景技術】
【０００２】
指輪のサイズを測るためのリングサイズ測定具は、一般に、金属製の各サイズのリングを束ねたものであり、宝石店等において利用されている。これに対して、一般の人が手軽に利用できるメジャーとしては、紙などに各サイズの穴を開けたものや、目盛りが記載されたものが利用されている。
【考案の開示】
【考案が解決しようとする課題】
【０００３】
一般の人が利用可能な紙製のメジャーは、耐久性に欠け、正確に指のサイズを測ることができない。
【０００４】
本考案の課題は、この点に鑑みて、一般の人が手軽に利用でき、耐久性があり、しかも、正確に指のサイズを測ることのできるリングサイズ測定具を提案することにある。
【課題を解決するための手段】
【０００５】
上記課題を解決するために、本考案のリングサイズ測定具は、複数枚の平板状ユニットと、これらの平板状ユニットを積層状態に保持していると共に、各平板状ユニットをそれらの平面方向に回転可能な状態で支持している連結軸とを有し、各平板状ユニットは、前記連結軸を中心として所定の角度間隔で配置されたサイズの異なる複数のリングゲージを備えており、隣接する一対のリングゲージの間は、これらの間に、他の平面状ユニットのリングゲージの一つを重なることなく位置させることのできる広開口部となっていることを特徴としている。
【０００６】
典型的な構成においては、各平板状ユニットの前記リングゲージの個数および角度間隔は、各平板状ユニットにおいて同一とされ、各リングゲージのサイズは全て異なるものとされる。また、各平板状ユニットの各リングゲージには外方に突出したサイズ表示部が備わった構成とされる。
【０００７】
本考案のリングサイズ測定具は、各平板状ユニットの各リングゲージの中心が、他の平板状ユニットの各リングゲージの中心に一致するように、平板状ユニットが整列状態で積層されている。測定時には、一枚の平板状ユニットを回転させて、そこに取り付けられているリングゲージを一つずつ、整列状態の他の平板状ユニットにおける広開口部に位置させ、そのリングゲージに測定したい指を挿入する。このような平板状ユニットの回転および広開口部に位置するリングゲージに指を挿入する操作を繰り返すことにより、測定したい指に合ったリングゲージを見つけることができる。換言すると、指のサイズを知ることができる。
【０００８】
ここで、各平板状ユニットに、前記連結軸の外周面に押し付けられる弾性爪を形成し、前記連結軸の外周面には、円周方向に沿って所定の角度間隔で、当該連結軸の軸線方向に延びている爪係合溝を形成しておき、前記弾性爪と前記爪係合溝の一つとの係合によって、各平板状ユニットを複数の回転角度位置に保持できるようにすることが望ましい。
【０００９】
特に、各平板状ユニットを、各リングゲージの中心が他の平板状ユニットの各リングゲージの中心に一致する回転角度位置と、各リングゲージが整列状態の他の平板状ユニットにおける前記広開口部に位置する各回転角度位置とに、それぞれ保持できるようにすることが望ましい。
【００１０】
このようにすると、平板状ユニットを整列状態に保持でき、その内の一枚の平板状ユニットのみを回転させて、そこに取り付けられている各リングゲージを順次に広開口部に位置させた位置にラッチできる。したがって、各平板状ユニットが不用意に回転しないように手などで止めておく必要がないので、指のサイズを測る操作が簡単になる。
【００１１】
また、本考案のリングサイズ測定具は合成樹脂製とすることが望ましい。合成樹脂製とすることによりリングサイズ測定具を廉価に製造できる。また、合成樹脂の伸縮率は、日常の気象条件ならばサイズ測定精度に悪影響が及ぶことはないので、正確に指のサイズを測定できる。さらに、軽量で耐久性にも優れているので、携帯にも適している。
【考案の効果】
【００１２】
本考案のリングサイズ測定具では、複数枚の平板状ユニットが積層状態に保持され、各平板状ユニットが連結軸を中心として個別に回転可能であり、各平板状ユニットを回転することにより、そこに取り付けられている複数のリングゲージを一つずつ、指を挿入可能な位置に位置決め可能である。したがって、指のサイズを簡単な操作によって測定できる。また、合成樹脂製とすることにより、軽量で耐久性に富み、しかも廉価に製造できる。
【考案を実施するための最良の形態】
【００１３】
以下に、図面を参照して、本考案を適用したリングサイズ測定具の実施の形態を説明する。
【００１４】
図１は本例のリングサイズ測定具の斜視図であり、図２はその分解斜視図である。図３はその一枚の平板状ユニットを示す平面図である。これらの図に示すように、本例のリングサイズ測定具１は、前側から順に、略同一形状の５枚の平板状ユニット２（２Ａ〜２Ｅ）がこの順番に重ね合わされ、これらが連結軸３によって積層状態に保持されていると共に、当該連結軸３を中心として回転可能となっている。
【００１５】
各平板状ユニット２（２Ａ〜２Ｅ）は同一構造の合成樹脂の成形品であり、図３に示すように、連結軸３が差し通されている軸穴２１が形成されている支持板部分２２と、この支持板部分２２の四隅に一体成形されているリングゲージ３１〜３４と、各リングゲージ３１〜３４の外周縁に一体成形されているサイズ表示片４１〜４４とを備えている。
【００１６】
４個のリングゲージ３１〜３４は異なるサイズのものであり、軸穴２１（連結軸３）を中心として、同一円上において７２度の角度間隔で配置され、一対のリングゲージ３１、３４の間隔が２倍の１４４度と広い角度間隔となっている。換言すると、４個のリングゲージ３１〜３４は正五角形の４つの頂点に中心が位置するように配置されている。したがって、残りの一つの頂点に、想像線で示すように他の平板状ユニットのリングゲージの中心を位置決めすると、当該リングゲージは、隣接するリングゲージ３１、３４に重ならない状態で、これらの間の広開口部３５に位置する。
【００１７】
また、図１に示すように、各平板状ユニット２の各リングゲージ３１〜３４の中心が一致するように、各平板状ユニット２を整列させた状態では、各サイズ表示部４１〜４４が他の平板状ユニット２の各サイズ表示部に対して円周方向にオフセットした位置となるように設定されている。
【００１８】
ここで、図３から分かるように、軸穴２１の内周面部分には、その接線方向に延びる切り欠き２３が形成されており、この切り欠き２３によって、軸穴２１の半径方向に弾性変位可能な弾性爪２４が一体形成されている。この弾性爪２４は、一対のリングゲージ３１、３４の間の角度の二等分線上に位置し、当該二等分線に沿って弾性変形可能であり、その先端部は軸穴２１の内周面を規定している円よりも内側に突出している。
【００１９】
連結軸３は、図２に示すように、雄側連結軸４および雌側連結軸５から構成されており、後ろ側から軸穴２１に差し込まれた雌側連結軸５の中空脚部に、前側から差し込まれた雄側連結軸４の脚部がはめ込まれ、これらの頭部の間に、平板状ユニット２が積層状態に保持されている。また、外側の雌側連結軸５の外周面には、円周方向に沿って７２度の角度間隔で、弾性爪２４が係合可能な爪係合溝５１が形成されている。
【００２０】
各平板状ユニット２の軸穴２１の弾性爪２４が、連結軸３の外周面の爪係合溝５１に係合することにより、各平板状ユニット２は、連結軸３を中心として、７２度毎の回転角度位置に保持されるようになっている。
【００２１】
本例では、平板状ユニット２Ａにはサイズが７号〜１０号のリングゲージ３１〜３４が取り付けられており、平板状ユニット２Ｂには１１号〜１４号のリングゲージ３１〜３４が取り付けられており、平板状ユニット２Ｃには１５号〜１８号のリングゲージ３１〜３４が取り付けられており、平板状ユニット２Ｄには１９号〜２２号のリングゲージ３１〜３４が取り付けられており、平板状ユニット２Ｅには２３号〜２６号のリングゲージ３１〜３４が取り付けられている。また、これらに対応して、各サイズ表示部４１〜４４には、サイズ番号を表す数字が表示されている。
【００２２】
図４は、本例のリングサイズ測定具１を用いて指のサイズを測定する場合の説明図である。本例のリングサイズ測定具１では、平板状ユニット２Ａ〜２Ｅのうちの一枚を回転させて、一つのリングゲージを他のリングゲージと重ならない位置に移動して、当該リングゲージに指を挿入することにより、７号から２６号までの指輪に合う指のサイズを測定できる。
【００２３】
まず、リングサイズ測定具１は、図４（ａ）に示すように、各平板状ユニット２が整列状態で重なった状態とされている。この状態において、所望のリングゲージ、例えば１１号のリングゲージ３１が取り付けられている平板状ユニット２Ｂを、図４（ｂ）において矢印で示す方向に回転させる。平板状ユニット２Ｂは、弾性爪２４と爪係合溝５１の係合によって７２度毎にラッチされる。したがって、最初の７２度の回転位置に平板状ユニット２Ｂがラッチされ、１１号のリングゲージ３１が、他の整列状態の平板状ユニット２における広開口部３５に位置した状態になる。この状態で、前側からリングゲージ３１に指を挿入して、指のサイズを確認する。平板状ユニットを７２度ずつ回転させて次のサイズのリングゲージ３２〜３４を広開口部３５に位置させ、指を挿入するという操作を繰り返すことにより、指のサイズを確認できる。
【００２４】
このような操作を行う際、リングサイズ測定具１を、他方の手で広開口部３５以外を包み込むように持てば、平板状ユニット２の回転操作、指の抜き差し操作を簡単に行うことができる。
【００２５】
以上説明したように、本例のリングサイズ測定具１は、複数のリングゲージ３１〜３４が形成されている平板状ユニット２を連結軸３によって積層状態に保持し、各平板状ユニット２を個別に回転させて、各リングゲージ３１〜３４を取り出して指のサイズを確認できるようになっている。したがって、小型でコンパクトであり携帯に便利である。また、平板状ユニット２の枚数を増やすことにより、広範囲のサイズに対応可能である。
【００２６】
さらに、本例では、広開口部３５に位置させた１個のリングゲージに指を差し込むようになっている。換言すると、測定部が一箇所だけなので、他の指を他のリングゲージに同時に装着することができないので、安全性にも優れている。
【００２７】
次に、本例のリングサイズ測定具１は合成樹脂製であるので、軽量かつ安価に構成でき、耐久性にも優れている。合成樹脂の伸縮率は、日常の気象条件ならば影響を受けないので、正確に指のサイズを測ることができる。
【００２８】
よって、本例によれば、広範囲な指のサイズを簡単に測定できる携帯性、耐久性および正確性に優れた廉価なリングサイズ測定具を実現できる。
【００２９】
なお、上記形態では、一枚の平板状ユニットに４個のリングゲージが取り付けられた構造となっていたが、一枚の平板状ユニットに３個以下あるいは５個以上のリングゲージを取り付けてもよい。また、平板状ユニットの枚数は５枚以外の枚数であってもよいことは勿論である。
【図面の簡単な説明】
【００３０】
【図１】本考案を適用したリングサイズ測定具の斜視図である。
【図２】図１のリングサイズ測定具の分解斜視図である。
【図３】図１のリングサイズ測定具の一枚の平板状ユニットを示す平面図である。
【図４】図１に示すリングサイズ測定具による測定動作を説明するための説明図である。
【符号の説明】
【００３１】
１  リングサイズ測定具
２、２Ａ、２Ｂ、２Ｃ、２Ｄ、２Ｅ  平板状ユニット
３  連結軸
４  雄側連結軸
５  雌側連結軸
５１  爪係合溝
２１  軸穴
２２  支持板部分
２４  弾性爪
３１〜３４  リングゲージ
３５  広開口部
４１〜４４  サイズ表示部
【図１】
0003119891.tif 000003
【図２】
0003119891.tif 000004
【図３】
0003119891.tif 000005
【図４】
0003119891.tif 000006